(57)【要約】      （修正有）【課題】清潔で安全な抗菌作用のある携帯用紙めくり指湿潤具を提供する。【解決手段】矩形状の容器に開閉自在の蓋２を備え、本体側は底部より周側壁を立ち上げた矩形状の凹部を形成した収納部３を有し、該収納部３には銅イオンを含む抗菌糸によって縫製した厚手のニット製品４を、該収納部３の凹部に縮めて嵌め込み、嵌入後に膨出させることで該凹部の周側壁の内側に圧接させ、設該収納部３からニット製品４が脱落しないようにしている。【選択図】図１
0003197163.tif 000002
【実用新案登録請求の範囲】
【請求項１】
蓋付容器の収納部内に銅イオンを含む抗菌糸により縫製した担持体を着脱自在に嵌着し、該容器内において該担持体に水を湿潤させてなることを特徴とする携帯用紙めくり指湿潤具。
【請求項２】
抗菌糸は、繊維の糸条芯体を、その表面に銅の薄膜をコーティングしたり真空蒸着したり或いは銅イオンを含む水溶液中に含浸させて製造したものを使用してなることを特徴とする請求項１記載の携帯用紙めくり指湿潤具。
【請求項３】
担持体をニット製品又は織物としたことを特徴とする請求項１又は２記載の携帯用紙めくり指湿潤具。
【考案の詳細な説明】
【技術分野】
【０００１】
本考案は、清潔で安全、且つ何度も再使用可能な抗菌作用の有る携帯用紙めくり指湿潤具に関する。
【背景技術】
【０００２】
従来より、乾燥した指での紙めくりは困難を極め、冬期などの乾燥期や乾燥体質となりやすい老人にとっては特に辛いことであった。そこで指にゴムサックを嵌めることや指に乾燥防止用クリームを塗ることで紙との摩擦力を高めて紙めくりすることが行われている。しかし、ゴムサックは、比較的強い弾性力があり、指に嵌め込むのにはたいへんな作業であったし、嵌め込んだ指に圧迫感が生じ、使用後にはゴムを伸ばす等して取り外す必要があった。また、クリーム状のものを塗ると、指や紙に油分が付き、更に、指への塗り具合が難しく、付けすぎてしまうことが多かったし、そのクリームの付いた指を直接なめてしまうことや幼児になめられてしまうおそれもあり、最良の手段とはいえなかった。
【０００３】
また、スポンジに水を浸み込ませ、指を湿潤させて紙めくりに使用するスポンジタイプの各種の紙めくり具が使用されているが、それらのものは該スポンジ中に様々な菌が繁殖し、その菌が指に付き、使用者の体内に取り込まれてしまうおそれが十分にあり、極めて不潔なものであった。
【０００４】
そこで、下記する特許文献のように、容器を抗菌性のものとし、その容器内に水と水保湿材を備え、該水保湿材に指を付けることで紙めくりを良好とすることが提案されている。
【０００５】
しかし、下記特許文献は、容器内の不織布に水を吸収させた水保湿材を、指に直接触れる水湿潤手段としているので、容器の周囲側の水保湿材に対して抗菌作用を成し得たとしても、水保湿材全体に抗菌作用を及ぼさせることはできず、特に指と接触する使用頻度の高い水保湿材の中央部にまで抗菌作用を期待することは困難であった。
【０００６】
また、当該特許文献の不織布は、防カビ性となっており、人体にとって有害である可能性が高く、特に幼児や子供への影響が懸念されるところである。
【先行技術文献】
【特許文献】
【０００７】
【特許文献１】特許第５６２９９１４号公報
【考案の概要】
【考案が解決しようとする課題】
【０００８】
本考案は、上記欠点を解決したもので、清潔で安全な抗菌作用のある携帯用紙めくり指湿潤具を提供するものである。
【課題を解決するための手段】
【０００９】
本考案は、蓋付容器の収納部内に銅イオンを含む抗菌糸により縫製した担持体を着脱自在に嵌着し、該容器内において該担持体に水を湿潤させてなる携帯用紙めくり指湿潤具を特徴とする。
【００１０】
また、上記抗菌糸は、繊維の糸条芯体を、その表面に銅の薄膜をコーティングしたり真空蒸着したり或いは銅イオンを含む水溶液中に含浸させて製造したものを使用してなる携帯用紙めくり指湿潤具を特徴とする。
【００１１】
更に、上記担持体をニット製品又は織物とした携帯用紙めくり指湿潤具を特徴とする。
【考案の効果】
【００１２】
本考案の携帯用紙めくり指湿潤具は、Ｏ−１５７、ＭＲＳＡ、大腸菌、サルモネラ菌、黄色ブドウ球菌、緑濃菌等に対して優れた抗菌効果を達成することができ、指と直接接触しても、それにより各種の菌が体内に取り込まれるおそれがなく、清潔で安全な指湿潤具を提供できることが可能となった。
【００１３】
また、ニット製品又は織物が有する柔らかさとしなやかさ及び親水性とにより、紙めくりのための指の湿潤手段として極めて有効にその機能を発揮することが可能となった。
【００１４】
更に、ニット製品又は織物が汚れたりして不具合が生じたとき、簡単に取り替えることができ、除菌して再使用することも可能となった。
【図面の簡単な説明】
【００１５】
【図１】本考案の携帯用紙めくり指湿潤具の斜視図。
【図２】本考案の携帯用紙めくり指湿潤具の他の実施例の斜視図。
【考案を実施するための形態】
【００１６】
以下、図面に基づいて本考案の実施例を説明する。
【実施例１】
【００１７】
図１は、本考案の携帯用紙めくり指湿潤具１の斜視図を示しており、矩形状の容器に開閉自在の蓋２を備え、本体側は底部より周側壁を立ち上げた矩形状の凹部を形成した収納部３を有し、該収納部３には銅イオンを含む抗菌糸によって縫製した厚手のニット製品４を、該収納部３の凹部に縮めて嵌め込み、嵌入後に膨出させることで該凹部の周側壁の内側に圧接させ、設該収納部３からニット製品４が脱落しないようにしている。
【００１８】
また、周側壁の上端部側に凹部の中心方向へ突出した鍔部を設けることにより嵌入したニット製品４の脱落防止を図ることができる。
【００１９】
また、上記ニット製品４の背面側に必要に応じて両面接着テープ等の簡易な固定手段を設けることで、収納部３内への嵌合保持を確実とさせることができる。
【００２０】
上記嵌着手段により、反復使用するなどして黒ずみ現象等の不具合が生じたときにニット製品４の取り替えのための脱着を簡単に行うことができる。
【００２１】
上記ニット製品４は、それら製品を嵌入する前に収納部３の凹部に敷水しておいて水吸収させてもよいし、嵌入後に水を付与して水吸収させてもよい。いずれにしてもニット製品４に水が保水され、抗菌性を発揮することになる。
【００２２】
本考案の携帯用紙めくり指湿潤具１は、蓋２及び収納部３とも様々な材料のものが使用でき、特に蓋２に透明又は半透明のものを使用すると外部から内側を可視することができるが、可視できる構成に限定されるものではない。ニット製品に湿潤させた水分が蒸発しないように蓋２の周縁部に凹部又は凸部を設け、収納部３側の周縁部に形成した凸部又は凹部と嵌合密封できるようにすることが可能である。
【００２３】
ニット製品４は、繊維の糸条芯体の表面に銅の薄膜をコーティングしたり真空蒸着したもの、又は１００ｐｐｍ乃至２，０００ｐｐｍの水溶液となるように銅の量を調整し、銅イオン水溶液中に親水性の有る糸条芯体を含浸させ、乾燥させて抗菌糸を造り、その抗菌糸を縫製して厚手のあるニット製品４とすることができる。
【実施例２】
【００２４】
図２は、本考案の携帯用紙めくり指湿潤具１１の他の実施例の斜視図を示しており、該携帯用紙めくり指湿潤具１１は、円形状の容器に開閉自在の蓋１２を備え、本体側は底部より周側壁を立ち上げた円形状の凹部を形成した収納部１３を有し、該収納部１３には銅イオンを含む抗菌糸によって縫製した厚手の織物１４を、該凹部形状よりやや大きめに形成し、該織物１４を該収納部１３の凹部に、縮めて嵌め込み、嵌入後に膨出させることで該凹部の周側壁の内側に圧接させ、該収納部１３から脱落しないようにしている。
【００２５】
また、周側壁の上端部側に凹部の中心方向へ突出した鍔部を設けることにより嵌入した織物１４の脱落防止を図ることができる。
【００２６】
上記織物１４の背面側に必要に応じて両面接着テープ等の簡易な固定手段を設けることで、収納部１３内への嵌合保持を確実とさせることができる。
【００２７】
上記嵌合手段により、反復使用するなどして黒ずみ現象等の不具合が生じたときに織物１４の取り替えのための脱着を簡単に行うことができる。
【００２８】
上記織物１４は、それを嵌入する前に収納部１３の凹部に敷水しておいて水吸収させてもよいし、嵌入後に水を付与して水吸収させてもよい。いずれにしても織物１４に水が保水され、抗菌性を発揮することになる。
【００２９】
本考案の携帯用紙めくり指湿潤具１１は、蓋１２及び収納部１３とも様々な材料のものが使用でき、特に蓋１２に透明又は半透明のものを使用すると外部から内側を可視することができるが、可視できる構成に限定されるものではない。織物１４に湿潤させた水分が蒸発しないように蓋１２の周縁部に凹部又は凸部を設け、収納部１３側の周縁部に形成した凸部又は凹部と嵌合密封できるようにすることが可能である。
【００３０】
織物１４は、繊維の糸条芯体の表面に銅の薄膜をコーティングしたり真空蒸着したもの、又は１００ｐｐｍ乃至２，０００ｐｐｍの水溶液となるように銅の量を調整し、銅イオン水溶液中に親水性の有る糸条芯体を含浸させ、乾燥させて抗菌糸を造り、その抗菌糸を縫製して厚手のある織物１４とする。
【００３１】
更に、例えば抗菌糸を一方の縦糸に使用し、他方の横糸には非抗菌糸を使用することで平織り等が簡単にできるようにしてもよい。
【実施例３】
【００３２】
上記実施例１では容器の形状を矩形状とし、実施例２では円形状としているが、容器の形状を実施例１のものに円形状のもの、実施例２のものに矩形状のものを採用してもよいし、また、他の形状のものを採用することもできる。
【符号の説明】
【００３３】
１、１１    携帯用紙めくり指湿潤具
２、１２    蓋
３、１３    収納部
４          ニット製品
１４        織物
【図１】
0003197163.tif 000003
【図２】
0003197163.tif 000004